(57)【要約】      （修正有）【課題】飲料の衛生と品質を改善することができる飲料供給装置を提供する。【解決手段】冷却キャビネット１０と複数の輸送パイプ３０と抽出装置４０と複数の水栓５０とサポートフレーム６０とを含み、冷却キャビネット１０は複数の側壁１１と底壁１２とを有し、複数の側壁１１と底壁１２は収容スペース１３を形成し、各側壁１１に冷却パイプが設置され、収容スペース１３は複数のマイクロスペース１４を有し、マイクロスペース１４は異なる飲料を貯蔵し、輸送パイプ３０はマイクロスペース１４と連通し、抽出装置４０は輸送パイプ３０と連結され、飲料をマイクロスペース１４から輸送パイプ３０に案内し、各水栓５０は輸送パイプ３０とそれぞれ接続され、飲料の出力に供し、サポートフレーム６０はパイプ状で穿設スペース６０Ａを有し、サポートフレーム６０に各水栓５０を設置し、穿設スペース６０Ａに各輸送パイプ３０を穿設する。【選択図】図１
0003225055.tif 000002
【実用新案登録請求の範囲】
【請求項１】
冷却キャビネットと、複数の輸送パイプと、抽出装置と、複数の水栓と、サポートフレームと、を含む飲料供給装置であって、
前記冷却キャビネットは、複数の側壁と底壁とを有し、前記複数の側壁と底壁は収容スペースを形成し、前記側壁内には冷却パイプが設置され、前記収容スペースは複数のマイクロスペースを有し、各前記マイクロスペースは異なる飲料の貯蔵に供し、
前記複数の輸送パイプは、前記マイクロスペースとそれぞれ連通することにより、各前記マイクロスペース内に飲料を送り出し、
前記抽出装置は、各前記輸送パイプと連結されることにより、飲料を前記マイクロスペースから輸送パイプに案内し、
前記複数の水栓は、前記輸送パイプとそれぞれ接続され、各前記水栓は、飲料の出力に供し、
前記サポートフレームは、パイプ状を呈し、前記サポートフレーム内には、穿設スペースを有し、前記サポートフレームに各前記水栓を設置し、前記穿設スペースに各前記輸送パイプを穿設する、
飲料供給装置。
【請求項２】
前記側壁は数が４つであり、各前記側壁の一端が前記底壁に接続され、これにより、前記冷却キャビネットは長方形を形成し、各前記側壁内には、一つの冷却パイプが設置される、請求項１に記載の飲料供給装置。
【請求項３】
前記収容スペース内には、複数の容器が設置され、各前記容器は前記マイクロスペースを有する、請求項１に記載の飲料供給装置。
【請求項４】
前記収容スペースは仕切り板を有し、前記仕切り板は前記収容スペースを前記マイクロスペースに仕切る、請求項１に記載の飲料供給装置。
【請求項５】
各前記輸送パイプは可撓性ホースであり、一端が前記マイクロスペースに挿設され、他端が前記水栓に接続される、請求項１に記載の飲料供給装置。
【請求項６】
前記抽出装置は、前記マイクロスペースの外側に配設される、請求項１に記載の飲料供給装置。
【請求項７】
前記抽出装置は数が複数であり、且つ前記抽出装置の数は前記輸送パイプの数と同じであり、各前記輸送パイプの全ては前記抽出装置に接続されている、請求項１に記載の飲料供給装置。
【請求項８】
前記サポートフレームは支持部と、前記支持部に連結される本体部とを有し、前記支持部は、平面上に立つように設けられ、前記水栓は、前記本体部に設置されている、請求項１に記載の飲料供給装置。
【請求項９】
前記本体部は複数の表示装置をさらに有し、各前記表示装置の位置は前記水栓の位置にそれぞれ対応する、請求項８に記載の飲料供給装置。
【請求項１０】
前記本体部が延びる方向を横方向と定義し、各前記表示装置と各前記水栓は前記横方向における各位置で互いに対応する、請求項９に記載の飲料供給装置。
【請求項１１】
前記飲料供給装置は冷却装置をさらに有し、前記冷却装置は前記冷却パイプに接続されている、請求項１に記載の飲料供給装置。
【請求項１２】
前記飲料供給装置は冷媒チューブをさらに有し、前記冷媒チューブは前記冷却装置に接続されるとともに、前記穿設スペースに穿設される、請求項１１に記載の飲料供給装置。
【考案の詳細な説明】
【技術分野】
【０００１】
本考案は飲料供給装置に関し、より詳細には、衛生と冷却効果を確保することができる飲料供給装置に関する。
【背景技術】
【０００２】
一般的な飲料店では、お茶を調理した後、お茶の飲料は各飲料保管桶に保管され、各飲料保管桶を店員が比較的高い位置に移動する必要がある。飲料が分配されるときには、飲料保管桶の蛇口が開かれ、飲料は蛇口から流出する。
【０００３】
また、一般的に飲料保管桶に保管される飲料は温かい飲み物である。したがって、消費者が冷たい飲み物を必要とする場合、店員は最初に保管桶の熱い飲み物を飲料カップに注いでから、大量の氷を追加し、飲料カップ内で、温かい飲み物を冷たい飲み物にしてから、消費者に提供する。
【０００４】
しかし、前述の飲料提供プロセスには多くの改善の余地がある。たとえば、飲料貯蔵桶を比較的高い位置に移動すると、非常に危険であり、しかもお茶の飲料が外へこぼれる場合、その結果は想像以上である。また大量生産品の角氷は、衛生面についてかなりの懸念があるため、衛生的で安全な飲料供給装置が必要となる。
【考案の概要】
【考案が解決しようとする課題】
【０００５】
そこで、本考案の課題は、環境と飲料の衛生・品質を改善することができる飲料供給装置を提供することにある。
また、本考案の別の課題は、使用の安全性を改善することができる飲料供給装置を提供することにある。
【課題を解決するための手段】
【０００６】
上記の課題を解決するための本考案は、冷却キャビネットと、複数の輸送パイプと、抽出装置と、複数の水栓と、サポートフレームと、を含む飲料供給装置であって、前記冷却キャビネットは、複数の側壁と底壁とを有し、前記複数の側壁と底壁は共同で収容スペースを形成し、前記側壁内には冷却パイプが設置され、前記収容スペースは複数のマイクロスペースを有し、各前記マイクロスペースは異なる飲料の貯蔵に供し、前記複数の輸送パイプは、前記マイクロスペースとそれぞれ連通することにより、各前記マイクロスペース内に飲料を送り出し、前記抽出装置は、各前記輸送パイプと連結されることにより、飲料を前記マイクロスペースから輸送パイプに案内し、前記複数の水栓は、前記輸送パイプとそれぞれ接続され、各前記水栓は、飲料の出力に供し、前記サポートフレームは、パイプ状を呈し、前記サポートフレーム内は、穿設スペースを有し、前記サポートフレームに各前記水栓を設置し、前記穿設スペースに各前記輸送パイプを穿設する。
【０００７】
より好ましくは、前記飲料供給装置は冷却装置をさらに有し、前記冷却装置は前記冷却パイプに接続されている。
【０００８】
より好ましくは、前記飲料供給装置は冷媒チューブをさらに有し、前記冷媒チューブは前記冷却装置に接続されるとともに、前記穿設スペースに穿設される。
【考案の効果】
【０００９】
本考案は主に、飲料を保管する冷却キャビネットと飲料を出力する水栓を前後別々に配設するとともに、輸送パイプと接続した抽出装置によって抽出することにより、飲料桶を高所へ移動するという問題を克服し、こぼれを回避して実用性を高めることができる。
また、本考案は、冷却キャビネットの側壁に冷却パイプを設けて、収容スペースの温度を事前設定された低温まで下げ、飲料を冷却キャビネット内で冷却できるようにする。それにより氷の不衛生という問題を回避し、低温環境でお茶を通常の状態に保存し、バクテリアの増殖を防ぐことができる。
さらに、本考案は、冷媒チューブと各前記輸送パイプとを並列に配設することにより、飲料を輸送パイプ内で輸送するとき、低温環境下で保持することができる。
【図面の簡単な説明】
【００１０】
【図１】本考案の飲料供給装置の全体斜視図である。
【図２】本考案の飲料供給装置の一部斜視図である。
【図３】本考案の飲料供給装置の構造図である。
【考案を実施するための形態】
【００１１】
以下、図面を参照しつつ、本考案に係る飲料供給装置について具体的に説明する。
【００１２】
本考案の第１実施形態に係る飲料供給装置は、図１乃至図３に示すように、冷却キャビネット１０と、複数の輸送パイプ３０と、抽出装置４０と、複数の水栓５０と、サポートフレーム６０とで構成される。
【００１３】
前記冷却キャビネット１０は、複数の側壁１１と底壁１２を有する。前記複数の側壁１１と前記底壁１２は、収容スペース１３を一緒に取り囲んで形成する。前記側壁内１１には、冷却パイプ２１が設けられることにより、収容スペース１３の温度を下げる。前記収容スペース１３内には、複数の相互に独立したマイクロスペース１４をさらに備え、各マイクロスペース１４内は異なる飲料の貯蔵に供する。
【００１４】
好ましくは、冷却パイプ２１は、一つの側壁１１または複数の側壁１１に配設することができる。
【００１５】
好適な実施形態では、前記側壁１１は数が４つであり、各前記側壁１１は一端が前記底壁１２に接続されているため、前記冷却キャビネット１０は長方形に形成される。各前記側壁１１内には全て冷却パイプ２１が設けられており、各前記冷却パイプ２１の全ては、蛇行状に配設されており、好ましくは、各前記側壁１１内の冷却パイプ２１が互いに接続されている。
【００１６】
本実施形態では、前記収容スペース１３内には複数の容器１５が配設されており、各前記容器１５の全てはマイクロスペース１４を有している。
【００１７】
他の実施形態では、仕切り板を介して前記収容スペース１３をマイクロスペース１４に分割することもできる。
【００１８】
前記複数の輸送パイプ３０は、前記マイクロスペース１４とそれぞれ連通しており、各マイクロスペース１４内の飲料を放出する。
【００１９】
本実施形態では、各輸送パイプ３０は可撓性を有するホースであり、且つ輸送パイプ３０は一端がマイクロスペース１４に挿設されている。
【００２０】
前記抽出装置４０は、各前記輸送パイプ３０とそれぞれ連通しており、前記抽出装置４０は吸引力で飲料をマイクロスペース１４から輸送パイプ３０に案内するように構成されている。
【００２１】
好適な実施形態では、前記抽出装置４０は、マイクロスペース１４の外側に配設される。
【００２２】
好適な実施形態では、各前記抽出装置４０はポンプである。
【００２３】
好適な実施形態では、前記抽出装置４０は複数であり、且つその数は前記輸送パイプ３０の数と同じであり、各輸送パイプ３０の全ては一つの前記抽出装置４０に接続されている。
【００２４】
前記複数の水栓５０は、前記輸送パイプ３０にそれぞれ接続されており、各前記水栓５０は、飲料を出力する。
【００２５】
本実施形態では、各前記輸送パイプ３０は、可撓性を有するホースであり、一端が前記マイクロスペース１４内に挿設され、他端が前記水栓５０に接続されている
【００２６】
前記サポートフレーム６０は、パイプ状を呈し、前記サポートフレーム６０内は、穿設スペース６０Ａを有し、前記サポートフレーム６０に各前記水栓５０を設置し、前記穿設スペース６０Ａに各前記輸送パイプ３０を穿設する。
【００２７】
本実施形態では、前記サポートフレーム６０は、支持部６１と、前記支持部６１から延びる本体部６２とを有する。前記支持部６１と前記本体部６２とは、互いに直交するように延びているため、サポートフレーム６０は  略Ｌ型を呈し、前記支持部６１は平面Ａ上に立設され、前記複数の水栓５０は前記本体部６２に配設されている。
【００２８】
好ましくは、前記サポートフレーム６０は、第２の支持部６３をさらに有し、前記第２の支持部６３は、前記本体部６２の一端に接続され、前記平面Ａ上に立設されている。
【００２９】
好ましくは、前記本体部６２は、複数の表示装置７０をさらに有し、各前記表示装置７０の位置は、前記水栓５０の位置にそれぞれ対応する。より詳細には、本体部６２が延びる方向を横方向Ｘと定義し、各前記表示装置７０と各前記水栓５０は、前記横方向Ｘの位置で対応する。各前記表示装置７０は、ユーザが認識するための文字または画像を表示するので、ユーザは、前記水栓５０の出力する飲料の品目を知ることができる。
【００３０】
好ましい実施形態では、図３に示すように、冷却装置２０がさらに設けられており、前記冷却装置２０は前記冷却パイプ２１に接続されている。
【００３１】
また、冷媒チューブ２２がさらに設けられており、前記冷媒チューブ２２は前記冷却装置２０に接続されるとともに、前記穿設スペース６０Ａ内に穿設されている。これにより、各前記輸送パイプ３０内の飲料を低温状態で前記サポートフレーム６０内に輸送できることを確保する。
【００３２】
上記からわかるように、本考案は主に、飲料を保管する冷却キャビネット１０と飲料を出力する水栓５０を前後別々に配設するとともに、輸送パイプ３０と接続した抽出装置４０によって抽出することにより、飲料桶を高所へ搬送するという問題を克服し、こぼれを回避して実用性を高めることができる。
【００３３】
また、本考案は、冷却キャビネット１０の側壁１１に冷却パイプ２１を設けて、収容スペース１３の温度を所定の低温まで下げ、さらに飲料を冷却キャビネット１０内で冷却でき、それにより氷の不衛生という問題を回避し、低温環境下でお茶を通常の状態に保存し、バクテリアの増殖を防ぐことができる。
【００３４】
また、本考案は、冷媒チューブ２２と各前記輸送パイプ３０とを並列に配設することにより、飲料を輸送パイプ３０内で輸送するとき、低温環境下で保持することができる。
【００３５】
さらに、本考案の抽出装置４０は、前記マイクロスペース１４の外側に配設されるため、飲料との直接接触を回避し、飲料の品質をさらに確保することができる。
【符号の説明】
【００３６】
１０  冷却キャビネット
１１  側壁
１２  底壁
１３  収容スペース
１４  マイクロスペース
１５  容器
２０  冷却装置
２１  冷却パイプ
２２  冷媒チューブ
３０  輸送パイプ
４０  抽出装置
５０  水栓
６０  サポートフレーム
６０Ａ  穿設スペース
６１  支持部
６２  本体部
６３  第２支持部
７０  表示装置
Ａ  平面
Ｘ  横方向
【図１】
0003225055.tif 000003
【図２】
0003225055.tif 000004
【図３】
0003225055.tif 000005